(57)【要約】【課題】省電力モードにおける省電力性能と、省電力モードから復帰するときの認証メディア認証機能の即応性を両立する。【解決手段】スリープモードからＵＩタッチパネル４０への電力供給までの段階的な制御は、（１）第１の人感センサ２８により移動体を検出することで、第２の人感センサ３０に電力を供給すると共にＩＣカードリーダーライター５８の制御部６４及びＲＦ部６６の双方に電力を供給する。（２）メインコントローラ１８へ電力を供給する。（３）ＩＣカードリーダーライター５８の制御部６４とメインコントローラ１８との間で通信プロトコルを確立させる。（４）ＩＣカードリーダーライター５８のＲＦ部６６にＩＣカードがかざされたことを契機に識別情報を読み取ってメインコントローラ１８における認証処理を実行する。（５）第２の人感センサ３０により使用者を検出することで、ＵＩタッチパネル４０に電力を供給する。【選択図】図７
2014075630.tif 000002
【特許請求の範囲】
【請求項１】
電力の供給を受けて特定の処理を実行する処理部、前記処理部の動作指示情報を受け付ける機能並びに前記処理部の動作状態情報を報知する機能を備えたインターフェイス部、認証メディアから使用者を特定する識別情報を取得する識別情報取得部を、相互に連携して管理する管理制御部と、
前記処理部を使用する使用者を含む移動体が予め定めた領域に存在しているか否かを検出する移動体検出手段と、
前記移動体検出手段の検出情報に基づいて、前記処理部、前記インターフェイス部、前記識別情報取得部、並びに前記管理制御部を含むそれぞれの制御対象に対して個別に電力供給状態又は電力遮断状態に遷移させると共に、前記制御対象の全てが電力遮断状態であるとき前記電力供給制御手段による電力遮断状態から電力供給状態へ遷移させる最初の制御対象を前記識別情報取得部とする電力供給制御手段と、
を有する電力供給制御装置。
【請求項２】
前記移動体検出手段が、それぞれ検出臨界距離が異なる複数の移動体検出手段を備え、
前記電力供給制御手段は、
検出臨界距離が相対的に遠い方の移動体検出手段で移動体を検出した時点で、前記識別情報取得部と共に前記管理制御部を電力供給状態に遷移させ、
前記管理制御部において前記識別情報取得部で取得した識別情報が使用可能であると認証され、かつ、前記検出臨界距離が相対的に近い方の移動体検出手段で移動体を検出した場合に、前記インターフェイス部を電力供給状態に遷移させる請求項１記載の電力供給制御装置。
【請求項３】
前記識別情報取得部が、
電力供給開始時に、前記管理制御部との間で識別情報の通信に関わる機能を確立するための機能確立プログラムが実行され、当該機能の確立後は前記識別情報を送受信可能な待機状態が維持される識別情報送受信制御部と、
前記認証メディアが接触状態又は非接触状態で対峙されるヘッド部が設けられ、当該ヘッド部に認証メディアが対峙されたとき、少なくとも認証メディアに記憶された識別情報を読み取る識別情報読取部とを備え、
前記識別情報送受信制御部及び前記識別情報読取部が、それぞれ個別に電力供給可能とされている請求項１記載の電力供給制御装置。
【請求項４】
前記電力供給制御手段は、
検出臨界距離が相対的に遠い方の移動体検出手段で移動体を検出した時点で、前記識別情報取得部の前記識別情報読取部を電力供給状態に遷移させることで、前記機能確立プログラムを起動して前記管理制御部との間の識別情報の通信に関わる機能を確立し、
検出臨界距離が相対的に近い方の移動体検出手段で移動体を検出した時点で、前記識別情報取得部の前記識別情報読取部を電力供給状態に遷移させることで、前記認証メディアに記憶された識別情報を読み取り可能状態とし、
前記ヘッド部に前記認証メディアが対峙された時点で、前記管理制御部を電力供給状態に遷移させて前記識別情報に基づく認証処理を可能とし、
前記管理制御部における認証処理において使用可能であると認証され、かつ、前記検出臨界距離が相対的に近い方の移動体検出手段で移動体を検出した場合に、前記インターフェイス部を電力供給状態に遷移させる請求項３記載の電力供給制御装置。
【請求項５】
前記請求項１〜請求項４の何れか１項記載の電力供給制御装置を備え、
前記処理部が、原稿画像から画像を読み取る画像読取処理部、画像情報に基づいて記録用紙に画像を形成する画像形成処理部、予め相互に定められた通信手順の下で画像を送受信するファクシミリ通信処理部の２以上の処理部を含み、前記電力供給制御手段により、前記処理部が個別に電力供給状態又は電力遮断状態に遷移するように制御して節電する部分節電手段を有する画像処理装置。
【請求項６】
電力の供給を受けて特定の処理を実行する処理部と、前記処理部の動作指示情報を受け付ける機能並びに前記処理部の動作状態情報を報知する機能を備えたインターフェイス部と、認証メディアから使用者を特定する識別情報を取得する識別情報取得部と、前記処理部と前記インターフェイス部と前記識別情報取得部とを相互に連携して管理する管理制御部と、を含む制御対象に対して個別に電力供給状態又は電力遮断状態に遷移させると共に、前記制御対象の全てが電力遮断状態であるとき電力遮断状態から電力供給状態へ遷移させる最初の制御対象を前記識別情報取得部とする電力供給制御プログラム。
【請求項７】
前記制御対象に対する個別の電力供給状態又は電力遮断状態への遷移が、
検出臨界距離が相対的に遠い方の移動体検出手段で移動体を検出した時点で、前記識別情報取得部と共に前記管理制御部を電力供給状態に遷移させ、
前記管理制御部において前記識別情報取得部で取得した識別情報が使用可能であると認証され、かつ、検出臨界距離が相対的に近い方の移動体検出手段で移動体を検出した場合に、前記インターフェイス部を電力供給状態に遷移させる請求項６記載の電力供給制御プログラム。
【請求項８】
前記識別情報取得部が、電力供給開始時に前記管理制御部との間で識別情報の通信に関わる機能を確立するための機能確立プログラムが実行され当該機能の確立後は前記識別情報を送受信可能な待機状態が維持される識別情報送受信制御部と、前記認証メディアが接触状態又は非接触状態で対峙されるヘッド部が設けられ当該ヘッド部に認証メディアが対峙されたとき少なくとも認証メディアに記憶された識別情報を読み取る識別情報読取部とを備え、前記識別情報送受信制御部及び前記識別情報読取部が、それぞれ個別に電力供給可能とされており、
前記制御対象に対する個別の電力供給状態又は電力遮断状態への遷移が、
検出臨界距離が相対的に遠い方の移動体検出手段で移動体を検出した時点で、前記識別情報取得部の前記識別情報読取部を電力供給状態に遷移させることで、前記機能確立プログラムを起動して前記管理制御部との間の識別情報の通信に関わる機能を確立し、
検出臨界距離が相対的に近い方の移動体検出手段で移動体を検出した時点で、前記識別情報取得部の前記識別情報読取部を電力供給状態に遷移させることで、前記認証メディアに記憶された識別情報を読み取り可能状態とし、
前記ヘッド部に前記認証メディアが対峙された時点で、前記管理制御部を電力供給状態に遷移させて前記識別情報に基づく認証処理を可能とし、
前記管理制御部における認証処理において使用可能であると認証され、かつ、前記検出臨界距離が相対的に近い方の移動体検出手段で移動体を検出した場合に、前記インターフェイス部を電力供給状態に遷移させる請求項６記載の電力供給制御プログラム。
【発明の詳細な説明】
【技術分野】
【０００１】
本発明は、電力供給制御装置、画像処理装置、電力供給制御プログラムに関する。
【背景技術】
【０００２】
画像処理装置において、認証メディア・リーダー・ライター（以下、「ＩＣカードリーダ」という場合がある）が接続され、画像処理装置を利用するユーザーが認証メディア（以下、「ＩＣカード」という場合がある）をこの認証メディア・リーダー・ライターにかざすことにより検出した認証メディア情報に基づいて、例えば、省電力状態であった画像処理装置を通常状態に復帰させる場合がある。
【０００３】
特許文献１には、認証機能と省電力モードを有し、省電力モードから通常モードへの復旧に、非接触ＩＣカードを用いるプリンタについて記載されており、非接触ＩＣカードと無線を介して通信する媒体情報読取部が、非接触ＩＣカードから識別情報を取得し、媒体近接センサが、非接触カードの接近を検知し、電源制御回路が媒体近接センサが非接触ＩＣカードの接近を検知すると媒体情報読取部へ駆動電源を供給するようになっている。
【０００４】
また、特許文献２には、複写装置等の電子機器において、省エネモードから通常モードへ復帰させる復帰要因として、非接触ＩＣカードを用いることが記載され、電子機器における非接触ＩＣカードとインターフェイスをとるための回路（Ｉ／Ｆ回路）の電力消費を課題とし、Ｉ／Ｆ回路部への電力を間欠に供給するようになっている。
【０００５】
さらに、特許文献３には、非接触型のメディアに電源供給するリーダライタを有する画像形成装置において、リーダライタへの電源供給を状態遷移に応じて異ならせる制御を行うことが記載されている。
【０００６】
また、特許文献４には、人を検知し、人がいない場合にユーザーインターフェイス（ＵＩ）の表示を消すことが記載されている。この特許文献５によれば、タッチパネルに走査画像を表示するための電力の無駄な消費が解消される。
【先行技術文献】
【特許文献】
【０００７】
【特許文献１】特開２００９−１６０７４６号公報
【特許文献２】特開２００３−１９５９８６号公報
【特許文献３】特開２００５−４３５８８号公報
【特許文献４】特開２００２−６６８６号公報
【発明の概要】
【発明が解決しようとする課題】
【０００８】
本発明は、省電力モードにおける省電力性能と、省電力モードから復帰するときの認証メディア認証機能の即応性を両立することができる電力供給制御装置、画像処理装置を得ることが目的である。
【課題を解決するための手段】
【０００９】
請求項１に記載の発明は、電力の供給を受けて特定の処理を実行する処理部、前記処理部の動作指示情報を受け付ける機能並びに前記処理部の動作状態情報を報知する機能を備えたインターフェイス部、認証メディアから使用者を特定する識別情報を取得する識別情報取得部を、相互に連携して管理する管理制御部と、前記処理部を使用する使用者を含む移動体が予め定めた領域に存在しているか否かを検出する移動体検出手段と、前記移動体検出手段の検出情報に基づいて、前記処理部、前記インターフェイス部、前記識別情報取得部、並びに前記管理制御部を含むそれぞれの制御対象に対して個別に電力供給状態又は電力遮断状態に遷移させると共に、前記制御対象の全てが電力遮断状態であるとき前記電力供給制御手段による電力遮断状態から電力供給状態へ遷移させる最初の制御対象を前記識別情報取得部とする電力供給制御手段と、を有している。
【００１０】
請求項２に記載の発明は、前記請求項１に記載の発明において、前記移動体検出手段が、それぞれ検出臨界距離が異なる複数の移動体検出手段を備え、前記電力供給制御手段は、検出臨界距離が相対的に遠い方の移動体検出手段で移動体を検出した時点で、前記識別情報取得部と共に前記管理制御部を電力供給状態に遷移させ、前記管理制御部において前記識別情報取得部で取得した識別情報が使用可能であると認証され、かつ、前記検出臨界距離が相対的に近い方の移動体検出手段で移動体を検出した場合に、前記インターフェイス部を電力供給状態に遷移させる。
【００１１】
請求項３に記載の発明は、前記請求項１に記載の発明において、前記識別情報取得部が、電力供給開始時に、前記管理制御部との間で識別情報の通信に関わる機能を確立するための機能確立プログラムが実行され、当該機能の確立後は前記識別情報を送受信可能な待機状態が維持される識別情報送受信制御部と、前記認証メディアが接触状態又は非接触状態で対峙されるヘッド部が設けられ、当該ヘッド部に認証メディアが対峙されたとき、少なくとも認証メディアに記憶された識別情報を読み取る識別情報読取部とを備え、前記識別情報送受信制御部及び前記識別情報読取部が、それぞれ個別に電力供給可能とされている。
【００１２】
請求項４に記載の発明は、前記請求項３に記載の発明において、前記電力供給制御手段は、検出臨界距離が相対的に遠い方の移動体検出手段で移動体を検出した時点で、前記識別情報取得部の前記識別情報読取部を電力供給状態に遷移させることで、前記機能確立プログラムを起動して前記管理制御部との間の識別情報の通信に関わる機能を確立し、検出臨界距離が相対的に近い方の移動体検出手段で移動体を検出した時点で、前記識別情報取得部の前記識別情報読取部を電力供給状態に遷移させることで、前記認証メディアに記憶された識別情報を読み取り可能状態とし、前記ヘッド部に前記認証メディアが対峙された時点で、前記管理制御部を電力供給状態に遷移させて前記識別情報に基づく認証処理を可能とし、前記管理制御部における認証処理において使用可能であると認証され、かつ、前記検出臨界距離が相対的に近い方の移動体検出手段で移動体を検出した場合に、前記インターフェイス部を電力供給状態に遷移させる。
【００１３】
請求項５に記載の発明は、前記請求項１〜請求項４の何れか１項記載の電力供給制御装置を備え、前記処理部が、原稿画像から画像を読み取る画像読取処理部、画像情報に基づいて記録用紙に画像を形成する画像形成処理部、予め相互に定められた通信手順の下で画像を送受信するファクシミリ通信処理部の２以上の処理部を含み、前記電力供給制御手段により、前記処理部が個別に電力供給状態又は電力遮断状態に遷移するように制御して節電する部分節電手段を有する画像処理装置である。
【００１４】
請求項６に記載の発明は、電力の供給を受けて特定の処理を実行する処理部と、前記処理部の動作指示情報を受け付ける機能並びに前記処理部の動作状態情報を報知する機能を備えたインターフェイス部と、認証メディアから使用者を特定する識別情報を取得する識別情報取得部と、前記処理部と前記インターフェイス部と前記識別情報取得部とを相互に連携して管理する管理制御部と、を含む制御対象に対して個別に電力供給状態又は電力遮断状態に遷移させると共に、前記制御対象の全てが電力遮断状態であるとき電力遮断状態から電力供給状態へ遷移させる最初の制御対象を前記識別情報取得部とする電力供給制御プログラムである。
【００１５】
請求項７に記載の発明は、前記請求項６に記載の発明において、前記制御対象に対する個別の電力供給状態又は電力遮断状態への遷移が、検出臨界距離が相対的に遠い方の移動体検出手段で移動体を検出した時点で、前記識別情報取得部と共に前記管理制御部を電力供給状態に遷移させ、前記管理制御部において前記識別情報取得部で取得した識別情報が使用可能であると認証され、かつ、検出臨界距離が相対的に近い方の移動体検出手段で移動体を検出した場合に、前記インターフェイス部を電力供給状態に遷移させる。
【００１６】
請求項８に記載の発明は、前記請求項６に記載の発明において、前記識別情報取得部が、電力供給開始時に前記管理制御部との間で識別情報の通信に関わる機能を確立するための機能確立プログラムが実行され当該機能の確立後は前記識別情報を送受信可能な待機状態が維持される識別情報送受信制御部と、前記認証メディアが接触状態又は非接触状態で対峙されるヘッド部が設けられ当該ヘッド部に認証メディアが対峙されたとき少なくとも認証メディアに記憶された識別情報を読み取る識別情報読取部とを備え、前記識別情報送受信制御部及び前記識別情報読取部が、それぞれ個別に電力供給可能とされており、前記制御対象に対する個別の電力供給状態又は電力遮断状態への遷移が、検出臨界距離が相対的に遠い方の移動体検出手段で移動体を検出した時点で、前記識別情報取得部の前記識別情報読取部を電力供給状態に遷移させることで、前記機能確立プログラムを起動して前記管理制御部との間の識別情報の通信に関わる機能を確立し、検出臨界距離が相対的に近い方の移動体検出手段で移動体を検出した時点で、前記識別情報取得部の前記識別情報読取部を電力供給状態に遷移させることで、前記認証メディアに記憶された識別情報を読み取り可能状態とし、前記ヘッド部に前記認証メディアが対峙された時点で、前記管理制御部を電力供給状態に遷移させて前記識別情報に基づく認証処理を可能とし、前記管理制御部における認証処理において使用可能であると認証され、かつ、前記検出臨界距離が相対的に近い方の移動体検出手段で移動体を検出した場合に、前記インターフェイス部を電力供給状態に遷移させる。
【発明の効果】
【００１７】
請求項１、請求項５、請求項６記載の発明によれば、省電力モードにおける省電力性能と、省電力モードから復帰するときの認証メディア認証機能の即応性を両立することができる。
【００１８】
請求項２、請求項７に記載の発明によれば、本構成を有しない場合に比べて、移動体の接近を段階的に判別でき、電力消費を軽減することができる。
【００１９】
請求項３、請求項４、請求項８に記載の発明によれば、本構成を有しない場合に比べて、電力供給対象を細分化でき、電力消費を軽減することができる。
【図面の簡単な説明】
【００２０】
【図１】第１の実施の形態に係る画像処理装置の概略図である。
【図２】第１の実施の形態に係る画像処理装置の制御系の構成を示すブロック図である。
【図３】第１の実施の形態に係る画像処理装置及びその周辺示す平面図である。
【図４】第１の実施の形態に係る画像処理装置及びその周辺を示す斜視図である。
【図５】第１の実施の形態に係るピラー部前面に設けられたカバー部材の斜視図である。
【図６】第１の実施の形態に係るＩＣカードリーダーライターとＩＣカードの概略構成図である。
【図７】第１の実施の形態に係るスリープモード中監視制御ルーチンを示すフローチャートである。
【図８】第２の実施の形態に係るスリープモード中監視制御ルーチンを示すフローチャートである。
【発明を実施するための形態】
【００２１】
「第１の実施の形態」
図１には、第１の実施の形態に係る画像処理装置１０が示されている。
【００２２】
画像処理装置１０は、記録用紙に画像を形成する画像形成部１２と、原稿画像を読み取る画像読取部１４と、ファクシミリ通信制御回路１６を備えている。画像処理装置１０は、メインコントローラ１８を備えており、画像形成部１２、画像読取部１４、ファクシミリ通信制御回路１６を制御して、例えば、画像読取部１４で読み取った原稿画像の画像データを一次的に記憶したり、読み取った画像データを画像形成部１２又はファクシミリ通信制御回路１６へ送出したりする。
【００２３】
メインコントローラ１８にはインターネット等のネットワーク通信回線網２０が接続され、ファクシミリ通信制御回路１６には電話回線網２２が接続されている。メインコントローラ１８は、例えば、ネットワーク通信回線網２０を介してホストコンピュータと接続され、画像データを受信したり、ファクシミリ通信制御回路１６を介して電話回線網２２を用いてファクシミリ受信及びファクシミリ送信を実行する役目を有している。
【００２４】
画像読取部１４は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００２５】
画像形成部１２は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００２６】
画像処理装置１０には、入力電源線２４の先端にコンセント２６が取り付けられており、壁面Ｗまで配線された商用電源３１の配線プレート３２に、当該コンセント２６を差し込むことで、画像処理装置１０は、商用電源３１から、電力の供給を受けるようになっている。第１の実施の形態の画像処理装置１０では、この商用電源３１からの電力供給を受ける電力供給モードと、商用電源３１からの電力供給を必要最小限に抑えるスリープモード（電力供給０Ｗも含む）との間を遷移する制御が実行されるようになっている（詳細後述）。
【００２７】
（画像処理装置の制御系ハード構成）
図２は、画像処理装置１０の制御系のハード構成の概略図である。
【００２８】
ネットワーク回線網２０は、前記画像処理装置１０のメインコントローラ１８に接続されている。なお、ネットワーク回路網２０には、画像データを送信元等になり得るＰＣ（端末装置）２９が接続されている。
【００２９】
メインコントローラ１８には、それぞれ、データバスやコントロールバス等のバス３３Ａ〜３３Ｅを介して、ファクシミリ通信制御回路１６、画像読取部１４、画像形成部１２、ＵＩタッチパネル４０、ＩＣカードリーダーライター５８が接続されている。すなわち、このメインコントローラ１８が主体となって、画像処理装置１０の各処理部が制御されるようになっている。なお、ＵＩタッチパネル４０には、ＵＩタッチパネル用バックライト部４０ＢＬが取り付けられている。
【００３０】
また、画像処理装置１０は、電源装置４２を備えており、メインコントローラ１８とは信号ハーネス４３で接続されている。
【００３１】
電源装置４２は、商用電源３１から入力電源線２４を介して電力の供給を受けている。
【００３２】
電源装置４２では、メインコントローラ１８、ファクシミリ通信制御回路１６、画像読取部１４、画像形成部１２、ＵＩタッチパネル４０、ＩＣカードリーダーライター５８のそれぞれに対して独立して電力を供給する電力供給線３５Ａ〜３５Ｅが設けられている。このため、メインコントローラ１８では、各動作対象（以下において、「処理部」、「デバイス」、「モジュール」等と称する場合もある）に対して個別に電力供給（電力供給モード）、或いは電力遮断（スリープモード）し、所謂部分節電制御を可能としている。
【００３３】
また、メインコントローラ１８には、２個の第１の人感センサ２８、第２の人感センサ３０が接続されており、画像処理装置１０の周囲の人の有無を監視している。
【００３４】
第１の実施の形態では、画像処理装置１０が処理部単位で電力供給又は非供給が可能となっている（部分節電制御）。なお、処理部単位の部分節電は一例であり、処理部をいくつかのグループに分類しグループ単位で節電の制御を行ってもよい。
【００３５】
また、部分節電の対象としてメインコントローラ１８も含まれており、全ての処理部が節電される場合、メインコントローラ１８に設けられた監視制御部１８Aが必要最小限の電力を受け、その他の制御機器への電力供給を遮断するようになっている（「節電モード」又は「スリープモード」という場合がある）。
【００３６】
監視制御部１８Aは、例えば、ＡＳＩＣと称される、自身で動作プログラムが格納され、当該動作プログラムで処理されるＣＰＵ，ＲＡＭ，ＲＯＭ等を備えたＩＣチップ等を備えるようにしてもよい。
【００３７】
監視制御部１８Aは、前記節電中の監視において、例えば、通信回線検出部からプリント要求などが来たり、ＦＡＸ回線検出部からＦＡＸ受信要求があった場合、節電中であったデバイスに対して、電力の供給を行なう。
【００３８】
なお、監視制御部１８Aの電力供給源は、第１の実施の形態では、商用電源３１としているが、ソーラーパネルから発電される電力、バッテリー、コンデンサ等の蓄電機能をもつ電源部、回生エネルギー等によって発電する発電機等を電力供給源としてもよい。
【００３９】
図４に示される如く、ＩＣカードリーダーライター５８は、使用者６０が所持している認証メディア（ここでは、非接触型がＩＣカード６２を例示する）に対して、非接触で情報を送信し、かつＩＣカード６２に記憶された情報を非接触で受信する機能を有している。
【００４０】
図６に示される如く、ＩＣカードリーダーライター５８は、上位制御系（第１の実施の形態では、図２に示すメインコントローラ１８）からの命令にも基づいて動作を制御する制御部６４と、ＩＣカード６２に対して情報信号と電力を供給するためのＲＦ部６６と、前記制御部６４及びＲＦ部６６に対して個別に電力を供給可能な電源部７０を備えている。
【００４１】
ＲＦ部６６には、ＩＣカード６２との間で電磁誘導を起こさせる領域（ヘッド部６８）が設けられ、ＩＣカード６２を所持する使用者６０（図４参照）は、このヘッド部６８を目印として、所謂「ＩＣカード６２をかざす」動作を行うようになっている。本実施の形態では、「ＩＣカード６２をかざす」動作は非接触であるが、磁気帯を接触させて情報を読み取る形態（接触型）であってもよい。
【００４２】
一方、ＩＣカード６２には、ＣＰＵ７２、メモリ７４、暗号回路７６、電源回路７８、変調回路８０及び復調回路８２が設けられたＩＣチップ８４と、復調回路８２に接続されたアンテナ部８６とを備えている。
【００４３】
ＲＦ部６６のアンテナ６６Ａに電流が流れると、電磁誘導により、ＩＣカード６２の電源回路７８に電力を供給し、かつ情報の送受信が実行される。
【００４４】
（人感センサの機能）
スリープモード時に使用者が画像処理装置１０の前に立ち、その後に例えば、節電制御ボタンを操作して、電力供給を再開した場合、画像処理装置１０が立ち上がるまでに時間を要する場合があった。
【００４５】
そこで、第１の人感センサ２８、第２の人感センサ３０を設置すると共に、スリープモードでは、使用者が節電解除ボタンを押す前に第１の人感センサ２８、第２の人感センサ３０で検知して早期に電力供給を再開して、使用者が早く使えるようにした。
【００４６】
第１の実施の形態では、第１の人感センサ２８、第２の人感センサ３０は、メインコントローラ１８に接続されている。詳細は後述するが、第１の人感センサ２８の検出臨界距離は、第２の人感センサ３０の検出臨界距離よりも長い（図３及び図４の第１の領域Ｆと第２の領域Ｎ参照）。
【００４７】
また、第１の人感センサ２８は、前記スリープモードにおいて、監視制御部１８Aから電力の供給を受けて、画像処理装置１０の周囲の移動体の動きを監視している。この第１の人感センサ２８において、移動体を検出すると、スリープモード中は電力遮断状態の第２の人感センサ３０への電力の供給を開始する、といった連携制御を行っている。
【００４８】
なお、画像処理装置１０には、既存の節電制御ボタン（図示省略）を備えており、使用者が手動操作で節電指示又は節電解除を行うことが可能となっており、この節電制御ボタンと第１の人感センサ２８、第２の人感センサ３０とを併用しているが、第１の人感センサ２８、第２の人感センサ３０のみで全ての監視を行うことも可能である。
【００４９】
なお、第１の人感センサ２８、第２の人感センサ３０は、「人感」としているが、これは、第１の実施の形態に則した固有名詞であり、少なくとも人が感知（検出）できればよく、言い換えれば、人以外の移動体の感知（検出）も含むものである。従って、以下において、第１の人感センサ２８、第２の人感センサ３０の検出対象を「人」に言及する場合があるが、将来的には、人に代わって実行するロボット等も感知対象範囲である。なお、逆に、人と特定して感知できる特殊センサが存在する場合は、当該特殊センサを適用可能である。以下では、移動体、人、使用者等は、第１の人感センサ２８、第２の人感センサ３０が検出する対象として同義として扱い、必要に応じて区別することとする。
【００５０】
「第１の人感センサ２８」
第１の実施の形態に係る第１の人感センサ２８の仕様は、画像処理装置１０の周囲（例えば、０ｍ〜５ｍの範囲）において、移動体の動きを検出するものである。この場合、焦電素子の焦電効果を用いた赤外線センサ等が代表的である（焦電型センサ）。第１の実施の形態では、第１の人感センサ２８として焦電型センサを適用している。例えば、検出範囲の温度変化量が、予めしきい値を超えた場合に、出力信号である二値信号が反転する。
【００５１】
この第１の人感センサ２８に適用された焦電素子の焦電効果を用いたセンサの最大の特徴は、検出領域が広いことである。また、移動体の動きを感知するため、検出領域内であって、人が静止していると、温度変化がないので人の存在を検出しない。例えば、人の移動時にハイレベル信号が出力されている場合、検出範囲内の人が静止すると、当該信号がローレベル信号になるものである。
【００５２】
なお、第１の実施の形態における「静止」とは、スチルカメラ等で撮影した静止画のように完全静止も当然含まれるが、例えば、人が画像処理装置１０の前に操作を目的として立ち止まることを含むものとする。従って、予め定めた範囲の微動（呼吸に伴う動き等）や、手足、首等を動かすといった場合を静止の範疇とする。
【００５３】
但し、人が画像処理装置１０の前で、例えば画像形成や画像読取等の処理を待つ間、その場でストレッチ運動等を行うと、第１の人感センサ２８では、人の存在を検出する場合もある。
【００５４】
従って、当該「静止」を定義して第１の人感センサ２８による動き検出のためのしきい値を設定するのではなく、しきい値は比較的おおまか、かつ標準的に設定し、環境（温度、湿度等）に基づく、当該第１の人感センサ２８の検出状態に依存するようにしてもよい。すなわち、装置設置場所において、実験的に又は統計的に、第１の人感センサ２８が二値信号の内の１つ（例えば、ハイレベル信号）を出力しているときは人が動いていることを示し、第２の第１の人感センサ２８の検出領域内に人が存在し、かつ二値信号の内の他の１つ（例えば、ローレベル信号）が出力された場合を静止とするようなしきい値を設定すればよい。
【００５５】
「第２の人感センサ３０」
一方、第１の実施の形態に係る第２の人感センサ３０の仕様は、移動体の有無（存在・不存在）を検出するものが適用されている。この第２の人感センサ３０に適用されるセンサは、投光部と受光部とを備えた反射型センサ等が代表的である（反射型センサ）。なお、投光部と受光部とが分離された形態であってもよい。
【００５６】
この第２の人感センサ３０に適用された反射型センサ等の最大の特徴は、受光部に入る光を遮断する／しないによって移動体の有無を確実に検出することである。また、投光部から投光される光量等により、受光部へ入射する光量に制限があるため、比較的近距離が検出領域である。
【００５７】
なお、第１の人感センサ２８、第２の人感センサ３０として、以下に示す機能をそれぞれ達成することが可能であれば、第１の人感センサ２８として焦電型センサや、第２の人感センサ３０として反射型センサに限定されるものではない。
【００５８】
ここで、第１の実施の形態では、第１の人感センサ２８と第２の人感センサ３０により、最大検出範囲（例えば、図３及び図４の第１の領域Ｆと第２の領域Ｎ）を設定した。この例では、両者は領域が重なっているが、必ずしも領域同士が重なる必要はなく、第１の領域Ｆの外周境界線（検出臨界距離）が、第２の領域Ｎの外周境界線（検出臨界距離）よりも長く設定すればよい。
【００５９】
すなわち、相対的に遠い検出領域である図３及び図４の第１の領域Ｆ（単に、「領域Ｆ」という場合がある）は、第１の人感センサ２８による検出領域であり、相対的に遠隔の移動体検出手段としての機能を有する。また、相対的に近い検出領域である図３及び図４の第２の領域Ｎ（単に、「領域Ｎ」という場合がある）は、第２の人感センサ３０による検出領域であり、相対的に近接の移動体検出手段としての機能を有する。
【００６０】
第１の人感センサ２８の検出領域（図３及び図４の第１の領域Ｆ参照）は、画像処理装置１０が設置されている場所の環境にもよるが、目安として検出臨界距離（最も遠い位置）が０．８〜３ｍ程度が好ましい。一方、第２の人感センサ３０の検出領域（図３及び図４の第２の領域Ｎ)参照）は、画像処理装置１０のＵＩタッチパネル２１６やハードキーの操作が可能な範囲であり、目安として検出臨界距離（最も遠い位置）が０．２〜１．０ｍ程度が好ましい。また、当然ではあるが、双方の設定後、第１の人感センサ２８の臨界点の方が、第２の人感センサ３０の臨界点よりも遠くなるように設定される。
【００６１】
（第１の人感センサ２８、第２の人感センサ３０及びその周辺の構成）
図１に示される如く、画像処理装置１０は、画像読取装置１４と、画像形成装置１２等が筐体に覆われており、第１の人感センサ２８（第２の人感センサ３０を含む）は、当該筐体における、縦長矩形状のピラー部５０に取り付けられている。ピラー部５０は、主として前記画像読取装置１２を覆う上筐体と、主として画像形成装置１２を覆う下筐体とを連結する部分に柱状に設けられており、その内部は記録用紙搬送系等（図示省略）が組みつけられている。図５は、このピラー部５０の拡大図である。
【００６２】
図５に示される如く、ピラー部５０の前面は、前記ピラー部５０を意匠的な要素を持って被覆する縦長の矩形状のカバー部材５２が取り付けられている。
【００６３】
図５に示される如く、カバー部材５２の上端部には、縦長のスリット孔５５が設けられており、当該スリット孔５５の裏面側には、前記第２の人感センサ３０の受光部３０ＩＮと投光部３０ＯＵＴとが配置されている。図示は省略したが、前記スリット孔５５には、透過率が比較的低い（透過率５０％以下）の調光部材が嵌め込まれている。この隠蔽部材は、外部から前記第２の人感センサ３０が見えにくくして、前述した意匠的な要素を確保するために設けられており、基本的に第２の人感センサ３０の検出機能は維持されている。
【００６４】
カバー部材５２の下面と、前記下筐体の上面との間には、隙間部が設けられている。また、カバー部材５２の下端部は所謂面取り加工形状とされ、当該面取り加工面には、貫通孔５７が設けられている。
【００６５】
貫通孔５７の奥側（カバー部材５２の裏面側）には、第１の人感センサ２８が設けられている。このため、貫通孔５７は、前記第１の人感センサ２８により移動体を検出するための監視窓としての役目を有する。以下、貫通孔５７を監視窓５７という場合がある。
【００６６】
ここで、監視窓５７は、面取り部５２Ａに形成されているため、前面に形成されているよりも、装置前方からは見えにくく、カバー部材５２の意匠的な要素を損なわない構造となっている。
【００６７】
（センサ電力供給制御）
第１の実施の形態では、第２の人感センサ３０は、常時、電力供給を受けていない。第２の人感センサ３０は、スリープモード中でも監視制御部１８Aから電力供給を受けている第１の人感センサ２８が管轄する図３の第１の領域Ｆに移動体（使用者）が進入した時点で電力が供給されて動作を開始し、その後、この第２の人感センサ３０が管轄する図３の第２の領域Ｎに移動体（使用者）が進入した時点で、各処理部に対して、スリープモードからスタンバイモードへの立ち上げを指示する。
【００６８】
すなわち、検出領域の異なる２つの人感センサ（第１の人感センサ２８と第２の人感センサ３０）が互いに連携しあって、必要最小限の電力供給を受けるようになっている。
【００６９】
図３に示される如く、移動体（使用者６０）と画像処理装置１０との関係は、大きく分けて３形態あり、第１の形態は、人が画像処理装置１０に対して、使用目的で操作可能位置まで近づいてくる形態（図３のＡ線矢視の動向（Ａパターン）参照）、第２の形態は、人が処理装置を使用目的ではないが、操作可能位置まで近づいてくる形態（図３のＢ線矢視の動向（Ｂパターン）参照）、第３の形態は、人が処理装置の操作可能位置まで近づかないが、第１の形態、第２の形態に移行する可能性のある距離まできている形態（図３のＣ線矢視の動向（Ｃパターン）参照）である。
【００７０】
第１の実施の形態では、第１の人感センサ２８による検出情報、並びに第１の人感センサ２８及び第２の人感センサ３０による検出情報に基づいて、前記動向（図３に示すＡパターン〜Ｃパターンを基本とする人の移動形態）に即した第２の人感センサ３０の電力供給時期及び電力遮断時期を制御している。
【００７１】
また、第１の実施の形態では、上記第１の人感センサ２８及び第２の人感センサ３０による検出情報に基づいて、最先にＩＣカードリーダーライター５８に対する電力供給制御を行うようにしている。すなわち、画像処理装置１０を使用する使用者は、まず、ＩＣカードリーダーライター５８のヘッド部６８に、自身が所持するＩＣカード６２をかざして、認証を受けるためである。
【００７２】
このため、第１の実施の形態に係るスリープモードから電力供給モードへ遷移させる電力供給制御は、まず、電力供給ＩＣカードリーダーライター５８に対する電力供給後、状況に応じて、メインコントローラ１８等、他のデバイスへの電力供給へ遷移させる、といった段階的な制御が実行される。なお、当然、認証が不要なモードの場合は、ＩＣカードリーダーライター５８に対する電力供給制御は省略される。
【００７３】
第１の実施の形態では、デバイスの部分節電制御も併用しており、スリープモードから遷移する場合（遠隔からのプリント指示を除く）、接近してくる使用者の操作に対して円滑に対応するべく、ＵＩタッチパネル４０へ電力を供給し、当該ＵＩタッチパネル４０での使用者の操作情報に基づいて、必要なデバイスに対して電力を供給する。例えば、画像読取ジョブであれば、画像読取部１４に電力を供給し、複写ジョブであれば画像読取部１４と、画像形成部１２に電力を供給する。
【００７４】
第１の実施の形態における、上記スリープモードからＵＩタッチパネル４０への電力供給までの段階的な制御は、以下のようになっている。なお、少なくとも段階１と段階２は監視制御部１８Aでの制御となる。
【００７５】
（段階１）  第１の人感センサ２８により移動体（使用者）を検出することで、第２の人感センサ３０に電力を供給すると共に、ＩＣカードリーダーライター５８の制御部６４及びＲＦ部６６の双方に電力を供給する。
【００７６】
（段階２）  メインコントローラ１８へ電力を供給する。
【００７７】
（段階３）  ＩＣカードリーダーライター５８の制御部６４と、メインコントローラ１８との間でＩＣカード６２から読み取った識別情報を送受信するための通信プロトコルを確立させる。
【００７８】
（段階４）  ＩＣカードリーダーライター５８のＲＦ部６６にＩＣカードがかざされたことを契機に識別情報を読み取って、メインコントローラ１８における認証処理を実行する。
【００７９】
（段階５）  第２の人感センサ３０により使用者を検出することで、ＵＩタッチパネル４０に電力を供給する。
【００８０】
以下、第１の実施の形態の作用を説明する。
【００８１】
（画像処理装置１０の電力供給制御のモード遷移の一例）
画像処理装置１０は、処理がなされていないと動作状態は、スリープモードとなる。スリープモード中は、監視制御部１８A並びに第１の人感センサ２８に、必要最小限の電力が供給され、図３及び図４の第１の領域Ｆで移動体の動き（進入）を監視している。第１の領域Ｆで移動体を検出すると、第２の人感センサ３０への電力供給が開始され、図３及び図４の第２の領域Ｎで移動体（使用者）の進入を監視する。
【００８２】
ここで、立ち上げ契機（ＩＣカードリーダーライター５８によるＩＣカード６２からの認証情報取得、第２の人感センサ３０による使用者検出等の立ち上げトリガの検出、或いは節電制御ボタンの操作等）があると、動作状態はウォームアップ(暖機運転)モードへ遷移する。
【００８３】
なお、この立ち上げ契機後は、メインコントローラ１８及びＵＩタッチパネル４０の起動によって、本来のスリープモード時の電力供給よりも電力供給量が増加するモードを設けてもよい。このモードは、依然としてスリープモードと定義してもよいし、他のモードとして定義してもよい。
【００８４】
また、立ち上げ契機後、例えば、ジョブを選択することが可能なモード（ＵＩタッチパネル４０の起動（電力供給））まで復帰し、選択されたジョブによってどのデバイスが起動するかが決まり、ジョブ種が画像読取等の場合、画像形成部１２が起動しない場合はウォームアップしない場合もある（部分節電制御）。
【００８５】
前記ウォームアップモードは画像処理装置１０（主として、画像形成部１２の定着部の温度）を迅速に処理可能状態にもっていくための暖気運転であり、各モードの内最大の電力消費量となる。例えば、定着部におけるヒータとして、第１の実施の形態では、ＩＨヒータが適用されており、比較例として、ハロゲンランプを用いたヒータよりもウォームアップモード時間は、比較的短い時間とされている。なお、ＩＨヒータとハロゲンランプの併用も可能である。なお、暖気運転は、最も電力を消費するモードである（例えば、１２００Ｗ）。
【００８６】
ウォームアップモードが終了すると、画像処理装置１０はスタンバイモードに遷移する。
【００８７】
スタンバイモードは、文字通り「事に備えて準備が完了している」モードであり、画像処理装置１０においては、画像処理の動作が即実行できる状態となっている。
【００８８】
このため、キー入力としてジョブ実行操作があると、画像処理装置１０の動作状態は、ランニングモードに遷移し、指示されたジョブに基づく画像処理が実行されるようになっている。
【００８９】
画像処理が終了すると（連続した複数のジョブが待機している場合は、その連続したジョブの全てが終了したとき）、待機トリガによって画像処理装置１０の動作状態はスタンバイモードへ遷移する。なお、画像処理後、タイマ機能による計時を開始し、予め定めた時間経過した後に待機トリガを出力し、スタンバイモードへ遷移するようにしてもよい。
【００９０】
このスタンバイモード中にジョブ実行指示があれば、再度ランニングモードへ遷移し、立ち下げのトリガ検出、或いは予め定めた時間が経過したとき、スリープモードへ遷移するようになっている。なお、立ち下げのためのトリガは、例えば、第１の人感センサ２８と第２の人感センサ３０による検出結果に基づく信号やタイマ機能、並びにこれらの併用が可能である。
【００９１】
また、画像処理装置１０における実際の動作におけるモード状態の遷移が、全て単一のタイミングチャートのとおり時系列で進行するものではない。例えば、ウォームアップモード後のスタンバイモードで処理が中止され、スリープモードへ移行する場合もある。
【００９２】
このように、第１の実施の形態の画像処理装置１０は、モードの間を相互に遷移しており、各モード毎に消費される電力が異なっている。
【００９３】
また、第１の実施の形態では、各デバイス毎に電力供給制御が行われることで、例えば、スリープモードから画像読取ジョブが指示された場合には、画像形成部１２に電力を供給することなく、画像読取部１４に電力を供給するといった、所謂部分節電が可能である。
【００９４】
（スリープモード中における監視）
ここで、第１の実施の形態では、スリープモード中は、基本的には、第１の人感センサ２８のみが電力供給を受けて、移動体の接近状態を監視している。この監視する領域は、図３及び図４の第１の領域Ｆに相当し、第１の人感センサ２８の検出部に入力される赤外線に基づく電気信号の解析（変化量）によって、移動体の有無を検出している。
【００９５】
この第１の人感センサ２８によって移動体を検出すると（図３及び図４の第１の領域Ｆ内での移動体検出）、第２の人感センサ３０への電力供給を開始する。
【００９６】
一方、第１の実施の形態では、前記第１の人感センサ２８によって移動体を検出すると（図３及び図４の第１の領域Ｆ内での移動体検出）、メインコントローラ１８へ電力を供給すると共に、ＩＣカードリーダーライター５８の制御部６４及びＲＦ部６６の双方へ電力を供給し、その後の、第２の人感センサ３０による監視に基づいて、モード遷移の制御を実行する。
【００９７】
図７は、第１の実施の形態に係るスリープモードから、メインコントローラ１８へ電力供給、続いて、ＵＩタッチパネル４０へ電力供給されるまでの電力供給制御の流れを示すフローチャートである。
【００９８】
ステップ１００では、第１の人感センサ２８で移動体を検出したか否かが判断され、肯定判定されるとステップ１０２へ移行してＩＣカードリーダーライター５８の制御部６６及びＲＦ部６６の双方に電力を供給する。
【００９９】
次のステップ１０４では、節電制御部２５のみが動作しているメインコントローラ１８の全ての機能が動作可能となるように電力を供給し、ステップ１０６へ移行する。
【０１００】
ステップ１０６では、ＩＣカードリーダーライター５８とメインコントローラ１８との間で識別情報の送受信が可能となるように通信プロトコルを確立するための処理を実行し、次いで、ステップ１０８へ移行して、第１のタイマをリセット・スタートさせる。この第１のタイマは、例えば、ＩＣカードリーダーライター５８の制御部６４のクロック機能が適用可能である。
【０１０１】
次のステップ１１０では、ＩＣカードリーダーライター５８のヘッド部６８にＩＣカード６２が「かざされた」か否かが判断される。
【０１０２】
このステップ１１０で否定判定されると、ステップ１１２へ移行して、前記第１のタイマがタイムアップしたか否かが判断される。これらステップ１１０、１１２で否定判定された場合は、当該ステップ１１０、１１２を、何れかで肯定判定されるまで繰り返す。
【０１０３】
ここで、前記ステップ１１０で肯定判定されると、使用者６０が画像処理装置１０を使用する目的でＩＣカード６２の認証を受けようとしていると判断し、ステップ１１４へ移行して、ＩＣカード６２から識別情報を読み取り、次いで、ステップ１１６へ移行して読み取った識別情報をメインコントローラ１８へ送信し、ステップ１１８へ移行する。
【０１０４】
ステップ１１８では、第２のタイマをリセット・スタートさせる。この第２のタイマは、例えば、ＩＣカードリーダーライター５８の制御部６４のクロック機能、或いはメインコントローラ１８のクロック機能が適用可能である。
【０１０５】
次のステップ１２０では、第２の人感センサ３０で移動体（使用者６０）を検出したか否かが判断される。なお、ＩＣカード６２をＩＣカードリーダーライター５８のヘッド部６８にかざすことと、第２の人感センサ３０が使用者６０を検出することは、同一の時期となる場合もあるし、第２の人感センサ３０の検出領域（図３及び図４の第２の領域Ｎ）の方向と、ＩＣカードリーダーライター５８の設置位置との相対位置関係によっては同一の時期とならない場合もある。
【０１０６】
ステップ１２０で肯定判定された場合は、使用者６０に画像処理装置１０を使用する意思があることが確実であるため、ステップ１２２へ移行してＵＩタッチパネル４０へ電力を供給し、このスリープモード中の監視制御ルーチンは終了する。
【０１０７】
また、ステップ１２０で否定判定されると、ステップ１２４へ移行して第２のタイマがタイムアップしたか否かが判断される。これらステップ１２０、１２４で否定判定された場合は、当該ステップ１２０、１２４を、何れかで肯定判定されるまで繰り返す。
【０１０８】
ここで、ステップ１２４で肯定判定されると、ＩＣカード６２をかざす動作はしたが、ＵＩタッチパネル４０に対峙しない状態、例えば、遠隔でプリントを指示して受け取りにきた使用者６０等であると判断し、ステップ１２６へ移行する。
【０１０９】
一方、前述したステップ１１２で肯定判定された場合は、第１の人感センサ２８で検出した移動体は、例えば、素通りしたと判断（使用者６０ではないと判断）した場合も、ステップ１２６へ移行する。
【０１１０】
ステップ１２６では、ＩＣカードリーダーライター５８の制御部６４及びＲＦ部６６の電力供給を遮断し、次いでステップ１２８へ移行してメインコントローラ１８の電力供給を遮断することで、ステップ１００へ戻り、スリープモードの初期状態に戻して上記工程を繰り返す。なお、メインコントローラ１８における監視制御部１８Aに関しては、電力供給が継続される。
【０１１１】
「第２の実施の形態」
以下に第２の実施の形態について説明する。この第２の実施の形態において、前述の第１の実施の形態で説明した図１〜図６の基本構成は同一であるため、ここでの構成の説明を省略する。
【０１１２】
第２の実施の形態の特徴は、ＩＣカードリーダーライター５８に対する電力供給を細分化した点にある。
【０１１３】
第２の実施の形態では、前記第１の人感センサ２８によって移動体を検出すると（図３及び図４の領域Ｆ内での移動体検出）、ＩＣカードリーダーライター５８のＲＦ部６６を除く制御部６４へ電力を供給し、その後の、第２の人感センサ３０による監視に基づいて、モード遷移の制御を実行する。
【０１１４】
すなわち、ＩＣカードリーダーライター５８において、ＩＣカード６２から認証情報を取得するには、ＩＣカードリーダーライター５８（制御部６４及びＲＦ部６６）に加え、メインコントローラ１８に電力が供給される必要がある。しかし、ＩＣカードリーダーライター５８の制御部６４を起動して、メインコントローラ１８と通信プトトコルを確立するには、ＲＦ部６６へ電力を供給しなくてもよい。
【０１１５】
第２の実施の形態では、このＩＣカードリーダーライター５８に対する部分的な電力供給制御に着目することで、第１の実施の形態の電力諸費の軽減よりもさらに、ＩＣカードリーダーライター５８によるスリープモード中における電力消費を軽減するようにした。
【０１１６】
第２の実施の形態における、上記スリープモードからＵＩタッチパネル４０への電力供給までの段階的な制御は、以下のようになっている。なお、少なくとも段階１と段階２は監視制御部１８Aでの制御となる。
【０１１７】
（段階１）  第１の人感センサ２８により移動体（使用者）を検出することで、第２の人感センサ３０に電力を供給すると共に、ＩＣカードリーダーライター５８の制御部６４に電力を供給する。ＲＦ部６６には電力を供給しない。
【０１１８】
（段階２）  第２の人感センサ３０により使用者を検出することで、メインコントローラ１８へ電力を供給する。
【０１１９】
（段階３）  ＩＣカードリーダーライター５８の制御部６４と、メインコントローラ１８との間でＩＣカード６２から読み取った識別情報を送受信するための通信プロトコルを確立させる。
【０１２０】
（段階４）  ＩＣカードリーダーライター５８のＲＦ部６６に電力を供給する。
【０１２１】
（段階５）  ＩＣカードリーダーライター５８のＲＦ部６６にＩＣカードがかざされたことを契機に識別情報を読み取って、メインコントローラ１８における認証処理を実行すし、認証後にＵＩタッチパネル４０に電力を供給する。
【０１２２】
図８は、第２の実施の形態に係るスリープモードから、メインコントローラ１８へ電力供給、続いて、ＵＩタッチパネル４０へ電力供給されるまでの電力供給制御の流れを示すフローチャートである。
【０１２３】
ステップ１５０では、第１の人感センサ２８で移動体を検出したか否かが判断され、肯定判定されるとステップ１５２へ移行してＩＣカードリーダーライター５８の制御部６６に電力を供給する。すなわち、ＲＦ部６６には電力を供給しない。
【０１２４】
次のステップ１５４では、第１のタイマをリセット・スタートさせる。この第１のタイマは、例えば、ＩＣカードリーダーライター５８の制御部６４のクロック機能が適用可能である。
【０１２５】
次のステップ１５６では、第２の人感センサ３０で移動体（使用者６０）を検出したか否かが判断される。このステップ１５６で否定判定されると、ステップ１５８へ移行して、前記第１のタイマがタイムアップしたか否かが判断される。これらステップ１５６、１５８で否定判定された場合は、当該ステップ１５６、１５８を、何れかで肯定判定されるまで繰り返す。
【０１２６】
ここで、ステップ１５８で肯定判定されると、第１の人感センサ２８で検出した移動体は、例えば、素通りしたと判断（使用者６０ではないと判断）し、ステップ１５９へ移行する。
【０１２７】
ステップ１５９では、ＩＣカードリーダーライター５８の制御部６４の電力供給を遮断し（ＲＦ部６４はもともと電力供給されていない）、ステップ１５０へ戻り、スリープモードの初期状態に戻して上記工程を繰り返す。なお、メインコントローラ１８における監視制御部１８Aに関しては、電力供給が継続される。
【０１２８】
一方、前記ステップ１５６で肯定判定されると、使用者６０が画像処理装置１０を使用する目的で接近していると判断し、ステップ１６０へ移行して、節電制御部２５のみが動作しているメインコントローラ１８の全ての機能が動作可能となるように電力を供給し、ステップ１６１へ移行する。
【０１２９】
ステップ１６１では、ＩＣカードリーダーライター５８とメインコントローラ１８との間で識別情報の送受信が可能となるように通信プロトコルを確立するための処理を実行し、次いで、ステップ１６２へ移行して、ＩＣカードリーダーライター５８のＲＦ部６４に電力を供給して、ステップ１６４へ移行する。
【０１３０】
ステップ１６４では、第２のタイマをリセット・スタートさせる。この第２のタイマは、例えば、ＩＣカードリーダーライター５８の制御部６４のクロック機能、或いはメインコントローラ１８のクロック機能が適用可能である。
【０１３１】
次のステップ１６６では、ＩＣカードリーダーライター５８のヘッド部６８にＩＣカード６２が「かざされた」か否かが判断される。このステップ１６６で肯定判定されると、ＩＣカード６２の認証を受けようとしていると判断し、ステップ１６８へ移行して、ＩＣカード６２から識別情報を読み取り、次いで、ステップ１７０へ移行して読み取った識別情報をメインコントローラ１８へ送信し、ステップ１７２へ移行する。
【０１３２】
ステップ１７２では、ＵＩタッチパネル４０へ電力を供給し、このスリープモード中の監視制御ルーチンは終了する。
【０１３３】
なお、ＩＣカード６２をＩＣカードリーダーライター５８のヘッド部６８にかざすことと、第２の人感センサ３０が使用者６０を検出することは、同一の時期となる場合もあるし、第２の人感センサ３０の検出領域（図３及び図４の第２の領域Ｎ）の方向と、ＩＣカードリーダーライター５８の設置位置との相対位置関係によっては同一の時期とならない場合もある。
【０１３４】
また、前記ステップ１６６で否定判定されると、ステップ１７４へ移行して第２のタイマがタイムアップしたか否かが判断される。これらステップ１６６、１７４で否定判定された場合は、当該ステップ１６６、１７４を、何れかで肯定判定されるまで繰り返す。
【０１３５】
ここで、ステップ１７４で肯定判定されると、画像処理装置１０に近づいたが、ＩＣカード６２をかざす動作をしない状態、例えば、認証されていない者、或いは使用を中止した者等であると判断し、ステップ１７６へ移行する。
【０１３６】
ステップ１７６では、ＩＣカードリーダーライター５８のＲＦ部６６の電力供給を遮断し、次いでステップ１７８へ移行してメインコントローラ１８の電力供給を遮断して、ステップ１５４へ戻り、上記工程を繰り返す。なお、メインコントローラ１８における監視制御部１８Aに関しては、電力供給が継続される。
【０１３７】
「変形例」
以下に、上記第１の実施の形態又は第２の実施の形態に係る変形例を示す。
【０１３８】
（変形例１）
ＩＣカードリーダーライター５８において、ＩＣカード６２がヘッド部６８にかざされ、識別情報が読み取られ、メインコントローラ１８において認証がなされた後は、ＵＩタッチパネル４０の操作中、或いはジョブ処理中は、ＲＦ部６６の電力供給を遮断する。あるいは、ＲＦ部６６の電力供給を間欠とする。
【０１３９】
（変形例２）
変形例１において、ＵＩタッチパネル４０の操作により、認証取り消しがあった場合、或いは、予め定めた時間を経過してもＵＩタッチパネル４０の操作がなかった場合、ジョブが終了した場合、画像処理そのものが実行されない場合、他の使用者による認証処理の可能性がある場合、ＩＣカードリーダーライター５８の電力供給を継続する。
【０１４０】
（変形例３）
第２の人感センサ３０により使用者を検出しなくなった直後、或いは、予め定めた時間が経過した後、少なくとも、ＩＣカードリーダーライター５８のＲＦ部６６の電力供給を遮断する。この場合、第２の人感センサ３０で使用者を検出した場合は、ＲＦ部６６の電力を供給する。
【０１４１】
（変形例４）
第１の人感センサ２８により移動体（使用者）を検出しなくなった直後、或いは、予め定めた時間が経過した後、ＩＣカードリーダーライターの制御部６４及びＲＦ部６６の電力供給を遮断する。この場合、第２の人感センサ３０の検出状況は関与していないため、静止している使用者が画像処理装置１０の近傍に立っている（ＵＩタッチパネル４０に対峙している）場合があるが、このような場合は、認証を既に受けた使用者である確率が高いため、ＩＣカードリーダーライター２１は使用しないと判断し得る。
【０１４２】
（変形例５）
第１の人感センサ２８及び第２の人感センサ３０により使用者を検出しなくなった直後、或いは、予め定めた時間が経過した後、ＩＣカードリーダーライターの制御部６４及びＲＦ部６６の電力供給を遮断する。この場合、第２の人感センサ３０で使用者を検出した場合は、ＲＦ部６６の電力を供給する。
【符号の説明】
【０１４３】
Ｗ    壁面
１０    画像処理装置
１２    画像形成部
１４    画像読取部
１６    ファクシミリ通信制御回路
１８    メインコントローラ
１８Ａ    監視制御部
２０    ネットワーク通信回線網
２２    電話回線網
２４    入力電源線
２５    コンセント
２８    第１の人感センサ
２９    ＰＣ
３０    第２の人感センサ
３０ＩＮ    受光部
３０ＯＵＴ    投光部
３１    商用電源
３２    配線プレート
３３Ａ〜３３Ｅ    バス
３５Ａ〜３５Ｅ    電力供給線
４０    ＵＩタッチパネル
４０ＢＬ    ＵＩタッチパネル用バックライト部
４２    電源装置
４３    信号ハーネス
５０    ピラー部
５２    カバー部材
５２Ａ    面取り部
５５    スリット孔
５７    貫通孔（監視窓）
５８    ＩＣカードリーダーライター
６０    使用者
６２    ＩＣカード
６４    制御部
６６    ＲＦ部
６６Ａ    アンテナ
６８    ヘッド部
７０    電源部
７２    ＣＰＵ
７４    メモリ
７６    暗号回路
７８    電源回路
８０    変調回路
８２    復調回路
８４    ＩＣチップ
８６    アンテナ部
【図１】
2014075630.tif 000003
【図２】
2014075630.tif 000004
【図３】
2014075630.tif 000005
【図４】
2014075630.tif 000006
【図５】
2014075630.tif 000007
【図６】
2014075630.tif 000008
【図７】
2014075630.tif 000009
【図８】
2014075630.tif 000010